(57)【要約】      （修正有）【課題】高速度で流入する液体により長期間安定的にボルトの逆転を防止して緩み止めを図ることができる新規なストレーナを提供する。【解決手段】内側が中空とされたフレームと、このフレームの内側に配置されて液体を濾過するフィルタ１２，１３と、これらフィルタ１２，１３の内側からそれぞれ挿通されたボルト９と、上記フレームにそれぞれ溶接され上記ボルト９にそれぞれ螺着されてなるナットと、を備えたストレーナであって、上記フィルタ１２，１３の内側には、回り止め座金２が配置され、この回り止め座金２は、上記各ボルト９のうち少なくとも隣り合う二つのボルト９が挿通される透孔が形成された板状でなるとともに、該透孔の近傍には、該透孔に挿通された上記各ボルト９を上記各ナットに螺着した後に上記各ボルト９の頭部９ａの側面に近接し又は接触して該頭部９ａの側面と平行となるよう折曲されたストッパー片２ｃが形成されてなる。【選択図】図５
0003145305.tif 000002
【実用新案登録請求の範囲】
【請求項１】
内側が中空とされたフレームと、このフレームに所定間隔を隔ててそれぞれ形成された第１のボルト挿通穴と、上記フレームの内側に配置されてなり液体を濾過するフィルタと、このフィルタに上記各第１のボルト挿通穴の形成位置にそれぞれ対応してなる第２のボルト挿通穴と、上記フィルタの内側から上記各第１のボルト挿通穴及び第２のボルト挿通穴にそれぞれ挿通されたボルトと、上記フレームの外側において上記ボルトにそれぞれ螺着されてなるナット又は上記第１のボルト挿通穴の軸心と共通した軸心を有して該フレームにそれぞれ溶接され上記ボルトにそれぞれ螺着されてなるナットと、を備えたストレーナであって、
上記フィルタの内側には、回り止め座金が配置され、この回り止め座金は、上記各ボルトのうち少なくとも隣り合う二つのボルトが挿通される透孔が形成された板状でなるとともに、該透孔の近傍には、該透孔に挿通された上記各ボルトを上記各ナットに螺着した後に上記各ボルトの頭部の側面に近接し又は接触して該頭部の側面と平行となるよう折曲されたストッパー片が形成されてなることを特徴とするストレーナ。
【請求項２】
前記ストッパー片は、前記各ボルトの頭部の側面に近接し又は接触して該頭部の側面と平行となるように折曲された回転規制板部と、この回転規制板部と連なり前記各ボルトの頭部の頂面に近接又は接触するように折曲された折曲板部とを有してなることを特徴とする請求項１記載のストレーナ。
【請求項３】
前記フレームはリング状に成形され、前記フィルタは外形形状が円筒状又は円錐状若しくは円錐台状に成形されてなるとともに、該フィルタの内側には、前記フレームと共同して該フィルタを挟むリング状の帯状部材が配置され、この帯状部材には、前記各ボルトが挿通されている第３のボルト挿通穴が形成され、前記回り止め座金は、この帯状部材の内側に配置されているとともに、この回り止め座金に形成された前記ストッパー片が折り曲げられる前の状態は、該ストッパー片の先端が上記帯状部材の端縁よりも液体が流入する側に突出してなることを特徴とする請求項１又は２記載のストレーナ。
【考案の詳細な説明】
【技術分野】
【０００１】
本考案は、例えば、液化天然ガスなどの液体に含まれたゴミや土砂又はスラッジ等の異物を除去するために使用されるストレーナに関するものである。
【背景技術】
【０００２】
従来、液化天然ガスなどの液体に含まれた異物を除去するために使用されるストレーナとしては、図６に示されるものが使用されている。このストレーナ１０は、外形形状が略円錐台状に成形されてなり、大径となされた側から流入した液体が、後述するフィルタを通過する際に該液体に含まれた異物を濾過するものであって、金属材料により円錐台状に成形され内側は中空とされてなるフレーム１１と、このフレーム１１の内側に重ねて固定されてなる第１及び第２のフィルタ１２，１３とを備えている。上記フレーム１１は、リング状に成形されたフランジ部１４と、このフランジ部１４の内側に固定された円筒状の中継筒部１５と、この中継筒部１５の下端に固定され徐々に縮径されてなるとともに液化天然ガスを通過させる流通穴１６ｂが形成された外かご部１６とを備えている。
【０００３】
また、上記第１のフィルタ１２は、上記フレーム１１の中継筒部１５及び外かご部１６の内側に配置され、上記外かご部１６の流通穴１６ｂの大きさよりも微細な網目状の濾過穴１２ｂを有してなるものであり、また、上記第２のフィルタ１３は、上記第１のフィルタ１２の内側に配置され、上記第１のフィルタよりもさらに微細な網目状の濾過穴１３ｂを有してなるものである。そして、これらのフィルタ１２，１３のそれぞれには、複数のボルト挿通穴（符号は省略する）がそれぞれ形成されている。また、第１及び第２のフィルタ１２，１３の内側には、中継筒部１５の一部と共同して該第１及び第２のフィルタ１２，１３を挟むリング状の帯状部材１７が配置され、この帯状部材１７には複数のボルト挿通穴（符号は省略する）が形成されている。
【０００４】
また、中継筒部１５には複数のナット１８が固定され、これらのナット１８には、複数のボルト１９が、帯状部材１７のボルト挿通穴、第１及び第２のフィルタ１２，１３のボルト挿通穴を挿通して螺合され、これらナット１８とボルト１９との締着により、第１のフィルタ１２と第２のフィルタ１３とが中継筒部１５と帯状部材１７との間に挟持されている。また、各ボルト１９の頭部１９ａには、軸直角方向に図６（ｂ）に示すワイヤ挿通穴１９ｂがそれぞれ形成されてなり、各ボルト１９のそれぞれのワイヤ挿通穴１９ｂには、ワイヤ２１が挿通されるとともに、このワイヤ２１の終端部が連結されている。このワイヤ２１により各ボルト１９の緩み方向への逆転が規制され、ストレーナ１０内に高速度で液体が流入した場合でも、振動等によりボルト１９が緩むことを防止できる。
【考案の開示】
【考案が解決しようとする課題】
【０００５】
しかしながら、上記従来のストレーナでは、長時間使用することにより、高速度で流入する液体によってワイヤが切断し、この切断によってボルトが逆転して緩む場合があり信頼性が乏しい。
【０００６】
そこで、本考案は、上述した従来のストレーナが有する課題を解決するために提案されえたものであって、高速度で流入する液体により長期間安定的にボルトの逆転を防止して緩み止めを図ることができる新規なストレーナを提供することを目的とするものである。
【課題を解決するための手段】
【０００７】
上述した目的を達成するため、第１の考案（請求項１記載の考案）は、内側が中空とされたフレームと、このフレームに所定間隔を隔ててそれぞれ形成された第１のボルト挿通穴と、上記フレームの内側に配置されてなり液体を濾過するフィルタと、このフィルタに上記各第１のボルト挿通穴の形成位置にそれぞれ対応してなる第２のボルト挿通穴と、上記フィルタの内側から上記各第１のボルト挿通穴及び第２のボルト挿通穴にそれぞれ挿通されたボルトと、上記フレームの外側において上記ボルトにそれぞれ螺着されてなるナット又は上記第１のボルト挿通穴の軸心と共通した軸心を有して該フレームにそれぞれ溶接され上記ボルトにそれぞれ螺着されてなるナットと、を備えたストレーナであって、上記フィルタの内側には、回り止め座金が配置され、この回り止め座金は、上記各ボルトのうち少なくとも隣り合う二つのボルトが挿通される透孔が形成された板状でなるとともに、該透孔の近傍には、該透孔に挿通された上記各ボルトを上記各ナットに螺着した後に上記各ボルトの頭部の側面に近接し又は接触して該頭部の側面と平行となるよう折曲されたストッパー片が形成されてなることを特徴とするものである。
【０００８】
この第１の考案では、上記フィルタの内側には、回り止め座金が配置され、この回り止め座金は、上記各ボルトのうち少なくとも隣り合う二つのボルトが挿通される透孔が形成された板状でなるとともに、該透孔の近傍には、該透孔に挿通された上記各ボルトを上記各ナットに螺着した後に上記各ボルトの頭部の側面に近接し又は接触して該頭部の側面と平行となるよう折曲されたストッパー片が形成されてなることから、上記各ボルトは、該各ボルトの頭部の側面に近接し又は接触して該頭部の側面と平行となるよう折曲されたストッパー片により逆転が規制され、ストレーナ内に液体が高速度で流入しても長期間安定的にボルトの逆転を防止して緩み止めを図ることができる。
【０００９】
また、第２の考案（請求項２記載の考案）は、上記第１の考案において、前記ストッパー片は、前記各ボルトの頭部の側面に近接し又は接触して該頭部の側面と平行となるように折曲された回転規制板部と、この回転規制板部と連なり前記各ボルトの頭部の頂面に近接又は接触するように折曲された折曲板部とを有してなることを特徴とするものである。
【００１０】
この第２の考案では、前記ストッパー片は、前記各ボルトの頭部の側面と平行となるように折曲された回転規制板部と、前記各ボルトの頭部の頂面に近接又は接触するように折曲された折曲板部とを有してなることから、前記各ボルトは、前記回転規制部により逆転が規制され、ストレーナ内に液体が高速度で流入しても確実に緩み止めされるとともに、前記ナットが逆転した場合であっても、前記折曲板部により前記各ボルトが緩み又は抜け出ることを抑止することができることから一層長期間に亘って安定的に緩み止めを維持することができる。
【００１１】
また、第３の考案（請求項３記載の考案）は、上記第１又は第２の考案において、前記フレームはリング状に成形され、前記フィルタは外形形状が円筒状又は円錐状若しくは円錐台状に成形されてなるとともに、該フィルタの内側には、前記フレームと共同して該フィルタを挟むリング状の帯状部材が配置され、この帯状部材には、前記各ボルトが挿通されている第３のボルト挿通穴が形成され、前記回り止め座金は、この帯状部材の内側に配置されているとともに、この回り止め座金に形成された前記ストッパー片が折り曲げられる前の状態は、該ストッパー片の先端が上記帯状部材の端縁よりも液体が流入する側に突出してなることを特徴とするものである。
【００１２】
この第３の考案では、前記回り止め座金は、前記帯状部材の内側に配置されているとともに、この回り止め座金に形成された前記ストッパー片が折り曲げられる前の状態は、該ストッパー片の先端が上記帯状部材の端縁よりも液体が流入する側に突出してなることから、前記各ボルトを前記各ナットに螺着した後に前記ストッパー片を折曲する際に、該ストッパー片の先端部に折曲工具を容易に係合させることができ、折曲作業の時間を短くすることができる。
【考案の効果】
【００１３】
上記第１の考案（請求項１記載の考案）では、上記フィルタの内側には、回り止め座金が配置され、この回り止め座金は、上記各ボルトのうち少なくとも隣り合う二つのボルトが挿通される透孔が形成された板状でなるとともに、該透孔の近傍には、該透孔に挿通された上記各ボルトを上記各ナットに螺着した後に上記各ボルトの頭部の側面に近接し又は接触して該頭部の側面と平行となるよう折曲されたストッパー片が形成されてなり、上記各ボルトは、該各ボルトの頭部の側面に近接し又は接触して該頭部の側面と平行となるよう折曲されたストッパー片により逆転が規制され、ストレーナ内に液体が高速度で流入しても長期間安定的にボルトの逆転を防止して緩み止めを図ることができることから、長期間に亘りストレーナの品質を維持することができるとともに、ストレーナの長寿命化により維持の労力と費用を削減することができる。
【００１４】
また、第２の考案（請求項２記載の考案）では、前記ストッパー片は、前記各ボルトの頭部の側面と平行となるように折曲された回転規制板部と、前記各ボルトの頭部の頂面に近接又は接触するように折曲された折曲板部とを有してなり、前記各ボルトは、前記回転規制部により逆転が規制され、ストレーナ内に液体が高速度で流入しても確実に緩み止めされるとともに、前記ナットが逆回転した場合であっても、前記折曲板部により前記各ボルトが緩み又は抜け出ることを抑止することができるので、一層長期間安定的にボルトの逆転を防止して緩み止めを図ることができることから、長期間に亘りストレーナの品質を維持することができるとともに、ストレーナの長寿命化により維持の労力と費用を削減することができる。
【００１５】
また、第３の考案（請求項３記載の考案）では、前記回り止め座金は、前記帯状部材の内側に配置されているとともに、この回り止め座金に形成された前記ストッパー片が折り曲げられる前の状態は、該ストッパー片の先端が上記帯状部材の端縁よりも液体が流入する側に突出してなり、前記各ボルトを前記各ナットに螺着した後に前記ストッパー片を折曲する際に、該ストッパー片の先端部に折曲工具を容易に係合させることができ、折曲作業の時間を短くすることができることから、ストレーナの製造コストを低減することができる。
【考案を実施するための最良の形態】
【００１６】
以下、本考案を実施するための最良の形態を、図面を参照しながら詳細に説明する。
【００１７】
この実施の形態に係るストレーナ１は、図６に示す従来のストレーナ１０と濾過機能要素等を除く一部のみが相違するものであることから、共通する構成要素については同一の符号を付して説明する。本実施の形態に係るストレーナ１は、図１又は図２に示すように、金属材料により円錐台筒状に成形され内側が中空とされたフレーム１１と、このフレーム１１の内側に配置された円錐台筒状の第１のフィルタ１２及び第２のフィルタ１３と、これら第１及び第２のフィルタ１２，１３の内側に配置されたリング状の帯状部材１７と、この帯状部材１７の内側に配置された板状でなる６個の回り止め座金２と、前記フレーム１１に固定された１２個のナット８と、前記回り止め座金２の内側から該回り止め座金２、前記帯状部材１７、前記第１及び第２のフィルタ１２，１３に挿通されるとともにナット８に螺合されてなる１２個のボルト９とを備えている。
【００１８】
これらのうち、前記フレーム１１は、リング状に成形されたフランジ部１４と、このフランジ部１４の内側に固定された円筒状の中継筒部１５と、この中継筒部１５の下端に固定され下方に向かって徐々に縮径された円錐台筒状の外かご部１６とを備えている。これらのうちのフランジ部１４の外周には、ストレーナ１を取付けるための一対の取付け金具２３，２３が固定され、各取付け金具２３は先端が下方へ折曲されたＬ字状に形成されているとともに、中途部には取付け用のボルト穴２３ａがそれぞれ形成されている。また、中継筒部１５の下方側には、１２箇所の固定穴１５ａが等間隔にそれぞれ形成され、これら固定穴１５ａ内の該固定穴１５ａと同中心位置に１２個のナット８がそれぞれ固定されている。この中継筒部１５の下端に固定された円錐台筒状の外かご部１６の筒部１６ａには、液化天然ガスを通過させる多数の流通穴１６ｂが形成され、最小径の下端底部には、図示しない円板状の外かご底部が固定されている。この円板状の外かご底部には、外かご部１６の筒部１６ａに形成された流通穴１６ｂと同様の図示しない流通穴が形成されている。
【００１９】
また、前記第１のフィルタ１２は、フレーム１１の中継筒部１５、外かご部１６の内側に配置され、これら中継筒部１５、外かご部１６と略相似形状の円錐台筒状に形成されてなり、筒部１２ａには、外かご部１６の流通穴１６ｂの大きさよりも微細な網目状の濾過穴１２ｂ（図６（ｃ）参照）を有する金属網部材により成形されているとともに、上端側には、前記１２個のナット８と同中心位置に前記ボルト９がそれぞれ挿通される１２箇所のボルト挿通穴１２ｃが形成されている。この第１のフィルタ１２の最小径の下端底部には、図示しない円板状のフィルタ底部が固定され、この円板状のフィルタ底部には、前記濾過穴１２ｂと同様の図示しない濾過穴が形成されている。また、前記第２のフィルタ１３は、第１のフィルタ１２の内側に配置され、該第１のフィルタ１２と略相似形状の円錐台筒状に形成されてなり、筒部１３ａには、該第１のフィルタ１２の濾過穴１２ｂの大きさよりも微細な網目状の濾過穴１３ｂを有する金属網部材により成形されているとともに、上端側には、前記１２個のナット８と同中心位置に前記ボルト９がそれぞれ挿通される１２箇所のボルト挿通穴１３ｃが形成されている。この第２のフィルタ１３の最小径の下端底部には、図示しない円板状のフィルタ底部が固定され、この円板状のフィルタ底部には、前記濾過穴１３ｂと同様の図示しない濾過穴が形成されている。また、前記帯状部材１７は、第２のフィルタ１３の内側に配置され、前記１２個のナット８と同中心位置に前記ボルト９がそれぞれ挿通される１２箇所のボルト挿通穴１７ａが形成されている。
【００２０】
また、前記６個の回り止め座金２のそれぞれは、帯状部材１７の内側に配置されてなり、図２に示すように、板状の両端部に係合部２ａ，２ａが形成され、これらの係合部２ａ，２ａには、隣り合うナット８，８と同中心位置に配置された各ボルト９，９がそれぞれ挿通される２箇所の透孔２ｂ、２ｂが長穴状に形成されている。また、各回り止め座金２の２箇所の透孔２ｂ、２ｂのそれぞれの近傍であるとともに、係合部２ａ，２ａの外側には、透孔２ｂ、２ｂを結ぶ中心線に対して直交する軸線の上方側に突出してなるストッパー片２ｃ，２ｃがそれぞれ形成されている。これらのストッパー片２ｃ，２ｃのそれぞれは、後述するように、各ボルト９が各ナット８に螺着された後において、各ボルト９の頭部９ａの上側面９ｂに近接し又は接触して該頭部９ａの上側面９ｂと平行となるよう折曲される回転規制板部２ｄ（図３（ｂ）参照）と、この回転規制板部２ｄよりも先端側に連なり各ボルト９の頭部９ａの頂面９ｃに近接又は接触するように折曲される折曲板部２ｅ（図４（ａ）参照）とにより構成されている。なお、図２に示す各回り止め座金２の各ストッパー片２ｃは、回転規制板部２ｄが折曲される前の状態において、図３（ａ）に示すように、該ストッパー片２ｃの先端（折曲板部２ｅ）が帯状部材１７の上端よりも液体が流入する側に突出するように形成されている。
【００２１】
次に、上記ストレーナ１の組立体としての実施の形態について説明する。図２は組み付けの途上を示す説明図であって、まず、図２（ａ）に示すように、中継筒部１５の内側に第１のフィルタ１２、第２のフィルタ１３及び帯状部材１７が、それぞれのボルト挿通穴１２ｃ、ボルト挿通穴１３ｃ及びボルト挿通穴１７ａの中心位置を隣り合う各ナット８の中心とそれぞれ同中心位置にして配置するとともに、帯状部材１７の内側に回り止め座金２を該回り止め座金２の各ストッパー片２ｃを上方にして配置する。この回り止め座金２を配置した後、該回り止め座金２の内側から各ボルト９をそれぞれの透孔２ｂを経て、帯状部材１７、第２のフィルタ１３、第１のフィルタ１２のそれぞれのボルト挿通穴１７ａ，１３ｃ，１２ｃに挿通して、図３（ａ）に示すように、該各ボルト９をそれぞれのナット８に螺合させて締着することにより、これら各ボルト９とそれぞれのナット８との間に第１のフィルタ１２、第２のフィルタ１３、帯状部材１７及び回り止め座金２が挟持されている。
【００２２】
また、上記により挟持された回り止め座金２の各ストッパー片２ｃを図３（ａ）に示す矢印Ｇの方向へドライバー等やハンマー等の折曲工具（符号は省略する）により折曲させ、図３（ｂ）ないし（ｄ）に示すように、該ストッパー片２ｃの回転規制板部２ｄが、各ボルト９の頭部９ａの上側面９ｂに近接するとともに平行となるようにそれぞれ折曲されている。さらに、回り止め座金２の各ストッパー片２ｃを図３（ｂ）に示す矢印Ｈの方向へ前記折曲工具より折曲させ、図４又は図５に示すように、該ストッパー片２ｃの折曲板部２ｅが、各ボルト９の頭部９ａの頂面９ｃに近接するとともに平行となるようにそれぞれ折曲されている。また、図２ないし図４に図示されていない他の５個の回り止め座金２を上記と同様に配置することにより、ストレーナ１が構成される。
【００２３】
そして、このように構成されたストレーナ１によれば、各ボルト９は、図３（ｂ）に示すように、回り止め座金２の各ストッパー片２ｃを構成する回転規制板部２ｄが、該各ボルト９の頭部９ａの上側面９ｂに近接するとともに平行となるようにそれぞれ折曲されてなることから、該回転規制板部２ｄにより各ボルト９の緩み方向への逆転が規制され、ストレーナ１内に液体が高速度で流入しても確実に緩み止めされる（各ボルト９とそれぞれのナット８との間に挟持された第１のフィルタ１２、第２のフィルタ１３、帯状部材１７及び回り止め座金２の挟持力に緩みが生じない）。さらに、図４（ｂ）に示すように、前記回転規制板部２ｄと連なる折曲板部２ｅが、各ボルト９の頭部９ａの頂面９ｃに近接するとともに平行となるようにそれぞれ折曲されていることから、仮に、ボルト９が緩み方向へ逆転した場合であっても、該折曲板部２ｅにより前記各ボルト９が緩み又は抜け出ることを抑止することができることから長期間に亘って安定的に緩み止めを維持することができる。
【００２４】
また、図２に示す各回り止め座金２の各ストッパー片２ｃは、回転規制板部２ｄが折曲される前の状態において、図３（ａ）に示すように、該ストッパー片２ｃの先端（折曲板部２ｅ）が帯状部材１７の上端よりも液体が流入する側に突出するように形成されなることから、各ボルト９をそれぞれのナット８に螺着した後に各ストッパー片２ｃを折曲する際に、該ストッパー片２ｃの先端部に折曲工具を容易に係合させることができ、折曲作業の時間を短くすることができる。また、回り止め座金２は、ボルト９の１個当たりに１個の回り止め座金である場合には、ボルト９をナット８に螺合させても締着される以前は該回り止め座金２のストッパー片２ｃがボルト９を中心に自由に回動し、該ストッパー片２ｃをボルト９の上側面９ｂ側にして該ボルト９を締着させるために無駄な時間を要するところ、本願考案による回り止め座金２では、各ボルト９のうち少なくとも隣り合う２個のボルト９，９が挿通される透孔２ｂ、２ｂが形成された板状でなることから、各ボルト９が締着される以前であっても該回り止め座金２のストッパー片２ｃは、常にボルト９の上側面９ｂ側に位置し、短時間で組み付け作業をすることができる。
【００２５】
なお、本願考案は上記実施の形態に限定されるものではなく、例えば、回り止め座金２について、図２（ｂ）に示すように、隣り合うボルト９，９に対応する２箇所の透孔２ｂ、２ｂをそれぞれ形成し、１２個のボルト９に対して６個の回り止め座金２により１２個のボルト９の逆転をそれぞれ規制する構成としたが、１個の回り止め座金２について、隣り合う３ないし１２個のボルト９に対応する３ないし１２箇所の透孔２ｂをそれぞれ形成し、１２個のボルト９に対して４ないし１個の回り止め座金２により各ボルト９の逆転をそれぞれ規制する構成としても良い。
【図面の簡単な説明】
【００２６】
【図１】本考案の実施の形態に係るストレーナの部分図であって、図６（ａ）に示すＡ−Ａ矢視断面図である。
【図２】本考案の実施の形態に係るストレーナの組付け途中の部分図であって、（ａ）は図１に示すＢ−Ｂ矢視断面図、（ｂ）は（ａ）の正面図である。
【図３】本考案の実施の形態に係るストレーナの組付け途中の部分図であって、（ａ）は（ｃ）に示すＣ−Ｃ矢視断面図（ストッパーの折曲前）、（ｂ）は（ｃ）に示すＣ−Ｃ矢視断面図（ストッパーの折曲後）、（ｃ）は図１に示すＢ−Ｂ矢視断面図、（ｄ）は（ｃ）の正面図である。
【図４】本考案の実施の形態に係るストレーナの組付け後の部分図であって、（ａ）は（ｂ）に示すＤ−Ｄ矢視断面図、（ｂ）は図１に示すＢ−Ｂ矢視断面図、（ｃ）は（ｂ）の正面図である。
【図５】本考案の実施の形態に係るストレーナの組付け後の部分図であって、図４（ｂ）に対応する斜視図である。
【図６】従来のストレーナを示す説明図であって、（ａ）は上面図、（ｂ）は（ａ）に示すＥ部拡大図、（ｃ）は斜視図、（ｄ）は（ａ）のＡ−Ａ矢視断面図である。
【符号の説明】
【００２７】
１  ストレーナ
２  回り止め座金
２ｂ  透孔
２ｃ  ストッパー片
２ｄ  回転規制板部
２ｅ  折曲板部
８  ナット
９  ボルト
９ａ  頭部
９ｂ  上側面
１１  フレーム
１２  第１のフィルタ
１２ｂ  濾過穴
１２ｃ  ボルト挿通穴
１３  第２のフィルタ
１３ｂ  濾過穴
１３ｃ  ボルト挿通穴
１６  外かご部
１６ｂ  流通穴
【図１】
0003145305.tif 000003
【図２】
0003145305.tif 000004
【図３】
0003145305.tif 000005
【図４】
0003145305.tif 000006
【図５】
0003145305.tif 000007
【図６】
0003145305.tif 000008